(57)【要約】【課題】本発明は、回路設計を簡単化する電子装置を提供することを目的とする。【解決手段】本発明に係る電子装置は、少なくとも１つのＩＣチップが設置された第一回路基板及び少なくとも１つのインターフェース回路が設置された第二回路基板を備え、前記第一回路基板は前記第二回路基板に固定され、前記第一回路基板は前記第二回路基板に電気的に接続される。【選択図】図１
2014039249.tif 000002
【特許請求の範囲】
【請求項１】
少なくとも１つのＩＣチップが設置された第一回路基板及び少なくとも１つのインターフェース回路が設置された第二回路基板を備え、前記第一回路基板は前記第二回路基板に固定され、前記第一回路基板は前記第二回路基板に電気的に接続されることを特徴とする電子装置。
【請求項２】
前記第二回路基板には、少なくとも１つの第一メスコネクターが設置され、前記第一回路基板から少なくとも１つの第一突出部が突出され、前記第一突出部には複数の導電端子が設置され、少なくとも１つの前記第一突出部は少なくとも１つの前記第一メスコネクターに水平挿入されて、前記第一突出部の複数の導電端子は前記第一メスコネクターに電気的に接続されることを特徴とする請求項１に記載の電子装置。
【請求項３】
前記電子装置は、少なくとも１つの第一オスコネクター及び少なくとも１つの第二メスコネクターをさらに備え、前記第一回路基板は、対向して設置される第一表面及び第二表面を備え、前記第二回路基板は、前記第一回路基板に対面する第三表面を備え、少なくとも１つの前記ＩＣチップは前記第一表面に設置され、少なくとも１つの前記第一オスコネクターは前記第二表面に設置され、少なくとも１つの前記第二メスコネクター及び少なくとも１つの前記インターフェース回路は前記第三表面に設置され、少なくとも１つの前記第一オスコネクターは少なくとも１つの前記第二メスコネクターに垂直挿入されて、前記第一オスコネクターは前記第二メスコネクターに電気的に接続されることを特徴とする請求項２に記載の電子装置。
【請求項４】
前記電子装置は、第一固定部材及び第二固定部材をさらに備え、前記第二回路基板から第二突出部及び第三突出部が突出され、少なくとも１つの前記第一メスコネクターは前記第二突出部と前記第三突出部との間に位置し、少なくとも１つの前記第二メスコネクターは前記第三突出部に位置し、前記第二突出部には第一固定柱が設置され、前記第三突出部には第二固定柱が設置され、前記第一回路基板は、前記第二回路基板に近い第一側部及び前記第一側部に対して反対側に位置する第二側部と、前記第一側部と前記第二側部との間に接続される第三側部と、を備え、少なくとも１つの前記第一オスコネクターは前記第三側部に位置し、少なくとも１つの前記第一突出部は、前記第一側部から延在して形成され、前記第一側部には第一固定孔が設けられ、前記第二側部には第二固定孔が設けられ、前記第一固定部材は前記第一固定孔を貫いて前記第一固定柱に固定され、前記第二固定部材は前記第二固定孔を貫いて前記第二固定柱に固定されて、前記第一回路基板を前記第二回路基板に固定させることを特徴とする請求項３に記載の電子装置。
【請求項５】
前記電子装置は、前記第一回路基板に設置される少なくとも１つの第二オスコネクター及び前記第二回路基板に設置される少なくとも１つの第三メスコネクターをさらに備え、少なくとも１つの前記第二オスコネクターは少なくとも１つの前記第三メスコネクターに水平挿入されて、前記第二オスコネクターは前記第三メスコネクターに電気的に接続されることを特徴とする請求項１に記載の電子装置。
【請求項６】
前記電子装置は、第一固定部材及び第二固定部材をさらに備え、前記第二回路基板から第二突出部及び第三突出部が突出され、少なくとも１つの前記第三メスコネクターは前記第二突出部と前記第三突出部との間に位置し、前記第二突出部には第一固定柱が設置され、前記第三突出部には第二固定柱が設置され、前記第一回路基板は、前記第二回路基板に近い第一側部及び前記第一側部に対して反対側に位置する第二側部を備え、少なくとも１つの前記第二オスコネクターは前記第一側部の側辺に位置し、前記第一側部には第一固定孔が設けられ、前記第二側部には第二固定孔が設けられ、前記第一固定部材は前記第一固定孔を貫いて前記第一固定柱に固定され、前記第二固定部材は前記第二固定孔を貫いて前記第二固定柱に固定されて、前記第一回路基板を前記第二回路基板に固定させることを特徴とする請求項５に記載の電子装置。
【請求項７】
前記電子装置は、前記第一回路基板に設置される少なくとも１つの第三オスコネクター及び前記第二回路基板に設置される少なくとも１つの第四メスコネクターをさらに備え、少なくとも１つの前記第三オスコネクターは少なくとも１つの前記第四メスコネクターに垂直挿入されて、前記第三オスコネクターは前記第四メスコネクターに電気的に接続されることを特徴とする請求項１に記載の電子装置。
【請求項８】
前記電子装置は、第一固定部材及び第二固定部材をさらに備え、前記第二回路基板から第二突出部及び第三突出部が突出され、少なくとも１つの前記第四メスコネクターは前記第二突出部と前記第三突出部との間に位置し、前記第二突出部には第一固定柱が設置され、前記第三突出部には第二固定柱が設置され、前記第一回路基板は、前記第二回路基板に近い第一側部及び前記第一側部に対して反対側に位置する第二側部を備え、前記第一回路基板は、対向して設置される第一表面及び第二表面を備え、少なくとも１つの前記第三オスコネクターは、前記第一回路基板の第二表面に設置され且つ前記第一側部に位置し、前記第一側部には第一固定孔が設けられ、前記第二側部には第二固定孔が設けられ、前記第一固定部材は前記第一固定孔を貫いて前記第一固定柱に固定され、前記第二固定部材は前記第二固定孔を貫いて前記第二固定柱に固定されて、前記第一回路基板を前記第二回路基板に固定させることを特徴とする請求項７に記載の電子装置。
【発明の詳細な説明】
【技術分野】
【０００１】
本発明は、電子装置に関するものである。
【背景技術】
【０００２】
テレビジョンの回路基板を開発する場合、顧客の異なる需要によって複数の異なる回路基板を設計することを必要とする。テレビジョンの回路基板には、複数のＩＣチップ及び複数のインターフェース回路が設置されており、複数のＩＣチップとして、プロセッサー、復調器、オーディオビデオデコーダなどを備え、複数のインターフェース回路として、チューナー、ＲＳ−２３２コネクター、イヤホンコネクター、ＨＤＭＩ（登録商標）コネクター、ＵＳＢコネクター、ＬＡＮコネクターなどを備える。異なるタイプのテレビジョンでは、回路基板に設置される複数のインターフェース回路は異なるが、回路基板に設置されるＩＣチップは同じである。例えば、アメリカでは法律でアメリカで販売するテレビジョンは必ずＡＴＳＣ復調器、ＭＰＥＧ−２オーディオビデオデコーダ、Ｖ−ｃｈｉｐを採用しなければならないと規定されているので、アメリカで販売するテレビジョンでは、同じプロセッサー、ＡＴＳＣ復調器、オーディオビデオデコーダを採用する。
【発明の概要】
【発明が解決しようとする課題】
【０００３】
しかし、複数のＩＣチップ及び複数のインターフェース回路は全て同じな１つの回路基板に設置されるので、異なるタイプのテレビジョンを生産する際、異なる回路基板を改めて設計することが必要となり、設計複雑度が向上し、且つ生産時間が長くなる。
【０００４】
本発明の目的は、前記課題を解決し、回路設計を簡単化する電子装置を提供することである。
【課題を解決するための手段】
【０００５】
本発明に係る電子装置は、少なくとも１つのＩＣチップが設置された第一回路基板及び少なくとも１つのインターフェース回路が設置された第二回路基板を備え、前記第一回路基板は前記第二回路基板に固定され、前記第一回路基板は前記第二回路基板に電気的に接続される。
【発明の効果】
【０００６】
従来の技術に比べて、本発明の電子装置においては、ＩＣチップ及びインターフェース回路は別々に第一回路基板及び第二回路基板に設置されており、且つ第一回路基板及び第二回路基板はそれぞれ独立であるので、異なるタイプのテレビジョンを製造する場合、同じＩＣチップを採用し、インターフェース回路は顧客の異なる需要によって開発することができるので、第一回路基板を共用することができる。例えば、アメリカで異なるタイプのテレビジョンの回路基板を生産する場合、プロセッサー、復調器、オーディオビデオデコーダ、無線モジュール、スピーカー、オーディオアンプリファイア及び記憶装置を全て第一回路基板に設置し、さらにこの第一回路基板と異なるインターフェース回路が設置された第二回路基板とを共にして異なる回路基板を形成することができ、従って顧客の異なる需要を満足できるばかりでなく、生産時間を節約できる。
【図面の簡単な説明】
【０００７】
【図１】本発明の第一実施形態に係る電子装置の分解図である。
【図２】図１に示す電子装置の組立図である。
【図３】本発明の第二実施形態に係る電子装置の分解図である。
【図４】本発明の第三実施形態に係る電子装置の分解図である。
【図５】図４に示す電子装置の組立図である。
【図６】本発明の第四実施形態に係る電子装置の分解図である。
【発明を実施するための形態】
【０００８】
以下、図面を参照して、本発明の実施形態について説明する。
【０００９】
図１に示したように、本発明の第一実施形態に係わる電子装置１００は、第一回路基板１０と、第二回路基板４０と、少なくとも１つのＩＣチップと、少なくとも１つのインターフェース回路と、２つの第一メスコネクター２４及び２５と、第一固定部材９２と、第二固定部材９４と、を備える。少なくとも１つのＩＣチップは、第一回路基板１０に設置され、少なくとも１つのインターフェース回路は、第二回路基板４０に設置される。第一回路基板１０は、第二回路基板４０に固定され且つ第二回路基板４０に電気的に接続される。本実施形態において、電子装置１００は、テレビジョンである。
【００１０】
少なくとも１つのＩＣチップとして、プロセッサー１１、復調器１３、オーディオビデオデコーダ１５、無線モジュール１６、スピーカー１７、オーディオアンプリファイア１８及び記憶装置１９を備える。他の実施形態において、少なくとも１つのＩＣチップとして、プロセッサー１１又は復調器１３のみを備える。無線モジュール１６は、Ｗｉ−Ｆｉモジュール、ブルートゥースモジュール及びＺｉｇｂｅｅ（登録商標）モジュールを備える。
【００１１】
少なくとも１つのインターフェース回路は、チューナー４１、ＲＳ−２３２コネクター４３、イヤホンコネクター４４、高解像度マルチメディアインターフェース（ＨＤＭＩ（登録商標））コネクター４５、ＵＳＢコネクター４６、ローカルエリアネットワーク（ＬＡＮ）コネクター４７、ＣＶＢＳインターフェースコネクター４８、ＶＧＡコネクター４９、ＹＰｂＰｒインターフェースコネクター５０、ソニー/フィリップスディジタルインターフェース（ＳＰＤＩＦ）コネクター５２、オーディオインターフェースコネクター５３の中の１つ又は複数を備える。
【００１２】
以下、第一回路基板１０と第二回路基板４０の電気接続関係を具体的に説明する。
【００１３】
複数の導電端子を有する２つの第一突出部２０及び２２が第一回路基板１０から突出され、第二回路基板４０には２つの第一メスコネクター２４及び２５が並んで設置される。第一回路基板１０の２つの第一突出部２０、２２は、第二回路基板４０の２つの第一メスコネクター２４、２５にそれぞれに水平挿入されて、２つの第一突出部２０、２２の複数の導電端子は２つの第一メスコネクター２４、２５に電気的に接続されて、第一回路基板１０は第二回路基板４０に電気的に接続される。
【００１４】
他の実施形態において、ただ１つの第一突出部２０が第一回路基板１０から突出され、第二回路基板４０にはただ１つの第一メスコネクター２４が設置されて、第一回路基板１０の第一突出部２０が第二回路基板４０の第一メスコネクター２４に水平挿入されて、第一回路基板１０は第二回路基板４０に電気的に接続される。
【００１５】
以下、第一回路基板１０と第二回路基板４０の構造固定関係を具体的に説明する。
【００１６】
第二突出部５４及び第三突出部５６が第二回路基板４０から突出され、第二突出部５４には第一固定柱５４０が設置され、第三突出部５６には第二固定柱５６０が設置される。２つの第一メスコネクター２４、２５は、第二突出部５４と第三突出部５６との間に位置する。第一回路基板１０は、第二回路基板４０に近い第一側部１１０及び第一側部１１０に対して反対側に位置する第二側部１２０を備える。第一回路基板１０の第一側部１１０及び第二側部１２０は対向して設置される。第一側部１１０には第一固定孔１１２が設けられ、第二側部１２０には第二固定孔１２２が設けられる。２つの第一突出部２０、２２は、第一側部１１０から延在して形成される。第一固定部材９２は、第一回路基板１０の第一固定孔１１２を貫いて第二回路基板４０の第一固定柱５４０に固定され、第二固定部材９４は、第一回路基板１０の第二固定孔１２２を貫いて第二回路基板４０の第二固定柱５６０に固定されて、第一回路基板１０は第二回路基板４０に固定される（図２を参照）。本実施形態において、第一固定部材９２及び第二固定部材９４はねじであり、第一固定柱５４０及び第二固定柱５６０の内部にはねじ山が形成されている。
【００１７】
図３を参照すると、第一実施形態に係わる電子装置１００に比べて、本発明の第二実施形態に係わる電子装置２００は、第一オスコネクター５８及び第二メスコネクター５９をさらに備える。
【００１８】
本発明の第二実施形態に係わる電子装置２００及び第一実施形態に係わる電子装置１００は、以下の共通点を備える。第一回路基板１０は、対向して設置される第一表面１２及び第二表面１４を備え、第二回路基板４０は、第一回路基板１０に対面する第三表面４０２を備える。プロセッサー１１、復調器１３、オーディオビデオデコーダ１５、無線モジュール１６、スピーカー１７、オーディオアンプリファイア１８及び記憶装置１９は、第一回路基板１０の第一表面１２に設置される。チューナー４１、ＲＳ−２３２コネクター４３、イヤホンコネクター４４、高解像度マルチメディアインターフェース（ＨＤＭＩ（登録商標））コネクター４５、ＵＳＢコネクター４６、ローカルエリアネットワーク（ＬＡＮ）コネクター４７、ＣＶＢＳインターフェースコネクター４８、ＶＧＡコネクター４９、ＹＰｂＰｒインターフェースコネクター５０、ソニー/フィリップスディジタルインターフェース（ＳＰＤＩＦ）コネクター５２、オーディオインターフェースコネクター５３は、第二回路基板４０の第三表面４０２に設置される。
【００１９】
第一回路基板１０は、第一側部１１０及び第二側部１２０に接続される第三側部１３０をさらに備える。第一オスコネクター５８は、第一回路基板１０の第二表面１４に設置され且つ第三側部１３０に位置し、第二メスコネクター５９は、第二回路基板４０の第三突出部５６に設置される。第一オスコネクター５８は第二メスコネクター５９に垂直挿入されて、第一オスコネクター５８は第二メスコネクター５９に電気的に接続される。他の実施形態において、第一オスコネクター５８及び第二メスコネクター５９の数は、需要によって２つであることができる。
【００２０】
図４及び図５に示されたように、第一実施形態に係わる電子装置１００に比べて、本発明の第三実施形態に係わる電子装置３００は、２つの第二オスコネクター６０、６２及び２つの第三メスコネクター６４、６６をさらに備え、２つの第二オスコネクター６０、６２は、２つの第三メスコネクター６４、６６にそれぞれに水平挿入されて、第一回路基板１０と第二回路基板４０との間の信号伝送を実現する。
【００２１】
第一回路基板１０は、第二回路基板４０に近い第一側部１１０及び第一側部１１０に対して反対側に位置する第二側部１２０を備える。第一回路基板１０の第一側部１１０及び第二側部１２０は対向して設置される。２つの第二オスコネクター６０、６２は、第一回路基板１０の第一側部１１０の側辺に並んで設置され、２つの第三メスコネクター６４、６６は、第二回路基板４０の第二突出部５４と第三突出部５６との間に並んで設置される。本実施形態において、第二オスコネクター６０は、５２つのピンを有するＰＣＩＥコネクターであり、第二オスコネクター６２は、７６つのピンを有するＰＣＩＥコネクターである。
【００２２】
他の実施形態において、電子装置３００は、１つの第二オスコネクター６０及び１つの第二メスコネクター６４を備えることができる。
【００２３】
図６を参照すると、第一実施形態に係わる電子装置１００に比べて、本発明の第四実施形態に係る電子装置４００は、２つの第三オスコネクター７０、７２及び２つの第四メスコネクター７４、７６をさらに備え、２つの第三オスコネクター７０、７２は、２つの第四メスコネクター７４、７６にそれぞれに垂直挿入されて、第一回路基板１０と第二回路基板４０との間の信号伝送を実現する。
【００２４】
第一回路基板１０は、第二回路基板４０に近い第一側部１１０及び第一側部１１０に対して反対側に位置する第二側部１２０を備える。第一回路基板１０の第一側部１１０及び第二側部１２０は対向して設置される。２つの第三オスコネクター７０、７２は、第一回路基板１０の第二表面１４に並んで設置され且つ第一側部１１０に位置する。２つの第四メスコネクター７４、７６は、第二回路基板４０の第二突出部５４と第三突出部５６との間に並んで設置される。本実施形態において、第三オスコネクター７０は、５２つのピンを有するＰＣＩＥコネクターであり、第三オスコネクター７２は、７６つのピンを有するＰＣＩＥコネクターである。
【００２５】
電子装置１００、２００、３００、４００において、ＩＣチップ及びインターフェース回路は別々に第一回路基板１０及び第二回路基板４０に設置されており、且つ第一回路基板１０及び第二回路基板４０はそれぞれ独立であるので、異なるタイプのテレビジョンを製造する場合、同じＩＣチップを採用し、インターフェース回路は顧客の異なる需要によって開発することができるので、第一回路基板を共用することができる。例えば、アメリカで異なるタイプのテレビジョンの回路基板を生産する場合、プロセッサー１１、復調器１３、オーディオビデオデコーダ１５、無線モジュール１６、スピーカー１７、オーディオアンプリファイア１８及び記憶装置１９を全て第一回路基板１０に設置し、さらに第一回路基板１０と異なるインターフェース回路が設置された第二回路基板４０とを共にして異なる回路基板を形成することができ、従って顧客の異なる需要を満足できるばかりでなく、生産時間を節約できする。
【００２６】
以上、本発明を実施形態に基づいて具体的に説明したが、本発明は、上述の実施形態に限定されるものではなく、その要旨を逸脱しない範囲において、種々の変更が可能であることは勿論であって、本発明の技術的範囲は、以下の特許請求の範囲から決まる。
【符号の説明】
【００２７】
１０  第一回路基板
１１  プロセッサー
１２  第一表面
１３  復調器
１４  第二表面
１５  オーディオビデオデコーダ
１６  無線モジュール
１７  スピーカー
１８  オーディオアンプリファイア
１９  記憶装置
２０、２２  第一突出部
２４、２５  第一メスコネクター
４０  第二回路基板
４１  チューナー
４３  ＲＳ−２３２コネクター
４４  イヤホンコネクター
４５  ＨＤＭＩ（登録商標）コネクター
４６  ＵＳＢコネクター
４７  ＬＡＮコネクター
４８  ＣＶＢＳインターフェースコネクター
４９  ＶＧＡコネクター
５０  ＹＰｂＰｒインターフェースコネクター
５２  ＳＰＤＩＦコネクター
５３  オーディオインターフェースコネクター
５４  第二突出部
５６  第三突出部
５８  第一オスコネクター
５９  第二メスコネクター
６０、６２  第二オスコネクター
６４、６６  第三メスコネクター
７０、７２  第三オスコネクター
７４、７６  第四メスコネクター
９２  第一固定部材
９４  第二固定部材
１００、２００、３００、４００  電子装置
１１０  第一側部
１１２  第一固定孔
１２０  第二側部
１２２  第二固定孔
１３０  第三側部
５４０  第一固定柱
５６０  第二固定柱
【図１】
2014039249.tif 000003
【図２】
2014039249.tif 000004
【図３】
2014039249.tif 000005
【図４】
2014039249.tif 000006
【図５】
2014039249.tif 000007
【図６】
2014039249.tif 000008